(57)【要約】【課題】タブ形式の待機画面から実行対象の機能を選択する際の使い勝手を向上させる。【解決手段】待機画面２５には、複数のタブ３１〜３４と、各タブ３１〜３４に対応した各タブ画面のうち選択状態にされている１つのタブ３１に対応したタブ画面４０とが表示される。各タブ３１〜３４の各タブ画面はそれぞれ複数のアイコンを含む。各タブ画面のうち少なくとも１つのタブ画面は、規定機能アイコンと、ショートカット登録用アイコン及びショートカットアイコンのうち少なくとも一方と、を含む。【選択図】図２
2018128976.tif 000002
【特許請求の範囲】
【請求項１】
表示部と、
前記表示部に対する指示体による指示操作及び当該指示操作された位置を検出可能なタッチパネルと、
複数の機能を実行可能な制御部と、
を備えた機能実行装置であって、
前記制御部は、前記表示部に待機画面を表示させる待機画面表示処理を実行し、
前記待機画面は、複数のタブが表示されるタブ表示領域、及び前記複数のタブの各々に対応した複数のタブ画面のうち選択状態にある１つの前記タブに対応したタブ画面が表示されるタブ画面表示領域を有し、
前記複数のタブ画面は、それぞれ、当該タブ画面に対応するタブに対応付けられた複数のアイコンを含み、
前記複数のタブ画面のうち少なくとも１つにおいて、当該タブ画面の前記複数のアイコンは、前記複数の機能のうちいずれかを実行させるために当該複数の機能毎に予め登録された規定機能アイコンと、前記複数の機能のうちいずれかを予め設定された特定の実行条件で実行させるショートカット機能を登録するためのショートカット登録用アイコン、及び前記ショートカット登録用アイコンに対して前記ショートカット機能が登録されることによって当該ショートカット登録用アイコンに代わって生成される当該登録されたショートカット機能を実行させるためのショートカットアイコン、のうち少なくとも一方と、を含み、
前記制御部は、さらに、
前記表示部に前記待機画面が表示されているときに、前記待機画面の前記タブ表示領域に表示されている前記複数のタブのうち現在選択状態にない何れかが前記指示操作された場合、現在選択状態にあるタブに代えて当該指示操作されたタブを選択状態にして、当該選択状態にしたタブに対応した前記タブ画面を前記タブ画面表示領域に表示させるタブ画面切替処理と、
前記待機画面に前記規定機能アイコンが表示されている場合に当該規定機能アイコンが前記指示操作された場合、当該規定機能アイコンに登録されている機能を実行するための処理を開始し、前記待機画面に前記ショートカット登録用アイコンが表示されている場合に当該ショートカット登録用アイコンが前記指示操作された場合、当該ショートカット登録用アイコンに対して前記ショートカット機能を登録させることにより当該ショートカット登録用アイコンに代えて前記ショートカットアイコンを生成するための処理を開始し、前記待機画面に前記ショートカットアイコンが表示されている場合に当該ショートカットアイコンが前記指示操作された場合、当該ショートカットアイコンに登録されている前記ショートカット機能を実行するための処理を開始する、アイコン操作対応処理と、
を実行する、機能実行装置。
【請求項２】
請求項１に記載の機能実行装置であって、
前記待機画面は、管理者用アイコンを含み、
前記制御部は、
前記表示部に前記待機画面が表示されているときに前記管理者用アイコンが前記指示操作された場合、特定の認証条件の成立有無を判断する認証処理と、
前記認証処理により前記認証条件が成立した場合に、前記表示部に待機画面設定画面を表示させる設定画面表示処理と、
を実行し、
前記待機画面設定画面は、前記タブ表示領域及び前記タブ画面表示領域に加えて編集ボタン表示領域を有し、
前記編集ボタン表示領域には、前記複数のタブ画面に含まれる前記複数のアイコンの一部又は全てを処理対象として少なくとも一種類の表示編集処理を実行させるための、前記表示編集処理の種類毎の個別のアイコン編集ボタンが表示され、
前記制御部は、前記表示部に前記待機画面設定画面が表示されているとき、前記アイコン編集ボタンに対する前記指示操作を少なくとも含む特定の編集操作が行われた場合に、当該編集操作に応じた前記表示編集処理を実行する、
機能実行装置。
【請求項３】
請求項２に記載の機能実行装置であって、
前記編集ボタン表示領域には、前記アイコン編集ボタンとして、前記表示編集処理として前記アイコンの表示位置を変更させる処理を実行させるための位置変更用ボタン、及び前記表示編集処理として前記複数のタブ画面に含まれる前記複数のアイコンのうち少なくとも１つを消去させて前記待機画面に表示させないようにする処理を実行させるための消去用ボタン、のうち、少なくとも１つが表示される、
機能実行装置。
【請求項４】
請求項３に記載の機能実行装置であって、
前記制御部は、
前記複数の機能のうちいずれかの実行が開始された場合、各前記規定機能アイコンの少なくとも１つを含む擬似待機画面を前記表示部に表示させる擬似待機表示処理と、
前記擬似待機画面に表示されている前記規定機能アイコンが前記指示操作された場合、当該指示操作された規定機能アイコンに対応した機能を、現在実行中の機能と並行して開始させる、並行実行処理と、
を実行し、
前記擬似待機表示処理は、各前記規定機能アイコンのうち前記表示編集処理によって消去された規定機能アイコンがある場合は、当該消去された規定機能アイコンについては前記擬似待機画面に表示させないように構成されている、
機能実行装置。
【請求項５】
請求項４に記載の機能実行装置であって、
前記複数の機能として、ファクシミリデータの送信及び受信を行うことが可能なファクシミリ機能を含み、
各前記規定機能アイコンには、前記ファクシミリ機能を実行させるためのファクシミリ機能アイコンが含まれ、
前記ファクシミリ機能による前記ファクシミリデータの受信時の動作モードとして、複数種類の動作モードのうち何れか１つを設定可能に構成されており、
前記複数種類の動作モードには、前記ファクシミリデータの受信時に前記ファクシミリ機能アイコンに対する前記指示操作が必要な特定の動作モードが含まれ、
前記擬似待機表示処理は、前記表示編集処理によって前記ファクシミリ機能アイコンが消去された状態になっていても、前記動作モードが前記特定の動作モードに設定されている場合は、前記擬似待機画面に前記ファクシミリ機能アイコンを表示させるよう構成されている、
機能実行装置。
【請求項６】
請求項１〜請求項５の何れか１項に記載の機能実行装置であって、
前記ショートカット機能として、対応するショートカットアイコンが前記指示操作された後さらに少なくとも１回の前記指示操作を経て実行される第１のショートカット機能と、対応するショートカットアイコンが前記指示操作されたら再度の前記指示操作を要することなく実行される第２のショートカット機能とを有し、
前記第１のショートカット機能に対応した前記ショートカットアイコンには、前記第１のショートカット機能が対応付けられていることを示す第１画像が含まれ、
前記第２のショートカット機能に対応した前記ショートカットアイコンには、前記第２のショートカット機能が対応付けられていることを示す、前記第１画像とは異なる第２画像が含まれる、
機能実行装置。
【請求項７】
請求項１〜請求項６の何れか１項に記載の機能実行装置であって、
前記複数の機能として、原稿の画像を読み取ってその読み取った画像のデータを生成するスキャン機能、前記スキャン機能により読み取った画像を記録用紙に印刷するコピー機能、及びファクシミリデータの送信及び受信を行うファクシミリ機能、のうち少なくとも１つを含む、機能実行装置。
【請求項８】
表示部に、複数のタブが表示されるタブ表示領域、及び前記複数のタブの各々に対応した複数のタブ画面のうち選択状態にある１つの前記タブに対応したタブ画面が表示されるタブ画面表示領域を有する待機画面を表示させる、待機画面表示ステップを有し、
前記複数のタブ画面は、それぞれ、当該タブ画面に対応するタブに対応付けられた複数のアイコンを含み、
前記複数のタブ画面のうち少なくとも１つにおいて、当該タブ画面の前記複数のアイコンは、複数の機能のうちいずれかを実行させるために当該複数の機能毎に予め登録された規定機能アイコンと、前記複数の機能のうちいずれかを予め設定された特定の実行条件で実行させるショートカット機能を登録するためのショートカット登録用アイコン、及び前記ショートカット登録用アイコンに対して前記ショートカット機能が登録されることによって当該ショートカット登録用アイコンに代わって生成される当該登録されたショートカット機能を実行させるためのショートカットアイコン、のうち少なくとも一方と、を含み、
さらに、
前記表示部に前記待機画面が表示されているときに、前記待機画面の前記タブ表示領域に表示されている前記複数のタブのうち現在選択状態にない何れかが選択された場合、現在選択状態にあるタブに代えて当該選択されたタブを選択状態にして、当該選択状態にしたタブに対応した前記タブ画面を前記タブ画面表示領域に表示させるタブ画面切替ステップと、
前記待機画面に前記規定機能アイコンが表示されている場合に当該規定機能アイコンが指示操作された場合、当該規定機能アイコンに登録されている機能を実行するための処理を開始し、前記待機画面に前記ショートカット登録用アイコンが表示されている場合に当該ショートカット登録用アイコンが指示操作された場合、当該ショートカット登録用アイコンに対して前記ショートカット機能を登録させることにより当該ショートカット登録用アイコンに代えて前記ショートカットアイコンを生成するための処理を開始し、前記待機画面に前記ショートカットアイコンが表示されている場合に当該ショートカットアイコンが指示操作された場合、当該ショートカットアイコンに登録されている前記ショートカット機能を実行するための処理を開始する、アイコン操作対応ステップと、
を有する、機能実行方法。
【請求項９】
表示部と、
前記表示部に対する指示体による指示操作及び当該指示操作された位置を検出可能なタッチパネルと、
制御部と、
を備える機能実行装置における前記制御部が実行可能な、複数の機能を実行するための機能実行プログラムであって、
前記制御部に、
前記表示部に対し、複数のタブが表示されるタブ表示領域、及び前記複数のタブの各々に対応した複数のタブ画面のうち選択状態にある１つの前記タブに対応したタブ画面が表示されるタブ画面表示領域を有する待機画面を表示させる待機画面表示処理を実行させ、
前記複数のタブ画面は、それぞれ、当該タブ画面に対応するタブに対応付けられた複数のアイコンを含み、
前記複数のタブ画面のうち少なくとも１つにおいて、当該タブ画面の前記複数のアイコンは、前記複数の機能のうちいずれかを実行させるために当該複数の機能毎に予め登録された規定機能アイコンと、前記複数の機能のうちいずれかを予め設定された特定の実行条件で実行させるショートカット機能を登録するためのショートカット登録用アイコン、及び前記ショートカット登録用アイコンに対して前記ショートカット機能が登録されることによって当該ショートカット登録用アイコンに代わって生成される、当該登録されたショートカット機能を実行させるためのショートカットアイコン、のうち少なくとも一方と、を含み、
前記制御部に、さらに、
前記表示部に前記待機画面が表示されているときに、前記待機画面の前記タブ表示領域に表示されている前記複数のタブのうち現在選択状態にない何れかが前記指示操作された場合、現在選択状態にあるタブに代えて当該指示操作されたタブを選択状態にして、当該選択状態にしたタブに対応した前記タブ画面を前記タブ画面表示領域に表示させるタブ画面切替処理と、
前記待機画面に前記規定機能アイコンが表示されている場合に当該規定機能アイコンが前記指示操作された場合、当該規定機能アイコンに登録されている機能を実行するための処理を開始し、前記待機画面に前記ショートカット登録用アイコンが表示されている場合に当該ショートカット登録用アイコンが前記指示操作された場合、当該ショートカット登録用アイコンに対して前記ショートカット機能を登録させることにより当該ショートカット登録用アイコンに代えて前記ショートカットアイコンを生成するための処理を開始し、前記待機画面に前記ショートカットアイコンが表示されている場合に当該ショートカットアイコンが前記指示操作された場合、当該ショートカットアイコンに登録されている前記ショートカット機能を実行するための処理を開始する、アイコン操作対応処理と、
を実行させる、機能実行プログラム。
【発明の詳細な説明】
【技術分野】
【０００１】
本発明は、表示部に表示される待機画面から機能を選択して実行させる技術に関する。
【背景技術】
【０００２】
複数の機能を実行可能に構成された各種装置として、特許文献１に記載のように、タッチパネル部にタブ形式の操作画面を表示させ、タブを切り替えることによって操作画面の表示内容を切り替え可能に構成された情報処理装置が知られている。
【０００３】
特許文献１に記載の情報処理装置では、操作画面において、例えばコピー機能、ファクス機能などの規定の機能毎にタブが分けられるとともに、さらに、拡張用のタブが用意されている。拡張用のタブには、ユーザにより任意に登録可能であってユーザのよく使う設定または処理内容で実行させる登録機能が登録されたキーが配列される。
【先行技術文献】
【特許文献】
【０００４】
【特許文献１】特開２０１０−２６２５０１号公報
【発明の概要】
【発明が解決しようとする課題】
【０００５】
特許文献１に記載の情報処理装置では、規定の機能用のタブと登録機能用のタブとが別々に設けられている。そのため、例えば、いずれかの規定の機能を利用してその後に特定の登録機能を利用したい場合、あるいはその逆の場合、タブを切り替える操作が必要となり、ユーザにとって必ずしも使い勝手が良いとは言えない。
【０００６】
本発明は、上記課題に鑑みなされたものであり、タブ形式の待機画面から実行対象の機能を選択する際の使い勝手を向上させることを目的とする。
【課題を解決するための手段】
【０００７】
本発明の機能実行装置は、表示部と、タッチパネルと、複数の機能を実行可能な制御部とを備える。タッチパネルは、表示部に対する指示体による指示操作及び当該指示操作された位置を検出可能に構成されている。制御部は、表示部に待機画面を表示させる待機画面表示処理を実行する。
【０００８】
待機画面は、タブ表示領域及びタブ画面表示領域を有する。タブ表示領域は、複数のタブが表示される領域である。タブ画面表示領域は、上記複数のタブの各々に対応した複数のタブ画面のうち、選択状態にある１つのタブに対応したタブ画面が表示される領域である。上記複数のタブ画面は、それぞれ、当該タブ画面に対応するタブに対応付けられた複数のアイコンを含む。
【０００９】
また、上記複数のタブ画面のうち少なくとも１つにおいては、当該タブ画面の複数のアイコンは、規定機能アイコンと、ショートカット登録用アイコン及びショートカットアイコンのうち少なくとも一方と、を含む。規定機能アイコンは、上記複数の機能のうちいずれかを実行させるために当該複数の機能毎に予め登録されたアイコンである。ショートカット登録用アイコンは、上記複数の機能のうちいずれかを予め設定された特定の実行条件で実行させるショートカット機能を登録するためのアイコンである。ショートカットアイコンは、ショートカット登録用アイコンに対してショートカット機能が登録されることによって当該ショートカット登録用アイコンに代わって生成される、当該登録されたショートカット機能を実行させるためのアイコンである。
【００１０】
制御部は、さらに、タブ画面切替処理と、アイコン操作対応処理とを実行する。タブ画面切替処理は、表示部に待機画面が表示されているときに、待機画面のタブ表示領域に表示されている複数のタブのうち現在選択状態にない何れかが指示操作された場合、現在選択状態にあるタブに代えて当該指示操作されたタブを選択状態にして、当該選択状態にしたタブに対応したタブ画面をタブ画面表示領域に表示させる処理である。
【００１１】
アイコン操作対応処理は、待機画面に規定機能アイコンが表示されている場合に当該規定機能アイコンが指示操作された場合、当該規定機能アイコンに登録されている機能を実行するための処理を開始し、待機画面にショートカット登録用アイコンが表示されている場合に当該ショートカット登録用アイコンが指示操作された場合、当該ショートカット登録用アイコンに対してショートカット機能を登録させることにより当該ショートカット登録用アイコンに代えてショートカットアイコンを生成するための処理を開始し、待機画面にショートカットアイコンが表示されている場合に当該ショートカットアイコンが指示操作された場合、当該ショートカットアイコンに登録されているショートカット機能を実行するための処理を開始するように構成された処理である。
【００１２】
このような構成の機能実行装置では、タブ毎の個別のタブ画面のうち少なくとも１つには、規定機能アイコンだけでなく、ショートカット登録用アイコン及びショートカットアイコンの少なくとも一方が含まれる。
【００１３】
つまり、待機画面において、規定の機能用の規定機能アイコンと、ショートカット登録用アイコン及びショートカットアイコンの少なくとも一方とを、同時に表示させることができる。そのため、少なくともその同時に表示させることができるタブ画面が待機画面に表示されている場合においては、ユーザは、当該タブ画面の中から、規定機能アイコンを選択したり、或いはショートカット登録用アイコン及びショートカットアイコンの少なくとも一方を選択したりすることができる。
【００１４】
よって、このような構成の機能実行装置によれば、タブ形式の待機画面から実行対象の機能を選択する際の使い勝手を向上させることができる。
【図面の簡単な説明】
【００１５】
【図１】実施形態の機能実行装置のブロック図である。
【図２】実施形態の機能実行装置の操作パネルを示す説明図である。
【図３】実施形態の待機画面の一例を示す説明図である。
【図４】実施形態の疑似待機画面の一例を示す説明図である。
【図５】アイコンに対する各種編集操作の一例を示す説明図である。
【図６】アイコンに対する各種編集操作の一例（図５の続き）を示す説明図である。
【図７】待機画面からファクスアイコンが消去されている状態でファクス受信モードがファクス専用モードに設定されている場合の疑似待機画面の一例を示す説明図である。
【図８】待機画面からファクスアイコンが消去されている状態でファクス受信モードがマニュアルモードに設定されている場合の疑似待機画面の一例を示す説明図である。
【図９】実施形態のメイン制御処理のフローチャートである。
【発明を実施するための形態】
【００１６】
以下、本発明の実施形態について、図面を参照しながら説明する。
［１．実施形態］
（１−１）機能実行装置の構成
図１に示す本実施形態の機能実行装置１０は、原稿の画像を読み取ってその読み取った画像の画像データを生成するスキャン機能、記録用紙への画像の印刷を行う印刷機能、スキャン機能により読み取った画像を印刷機能により記録用紙に印刷するコピー機能、ファクシミリデータの送受信を行うファクシミリ機能など、規定の複数の機能を備えている。
【００１７】
機能実行装置１０は、図１に示すように、制御部１１と、記憶部１２と、表示部１３と、入力部１４と、画像読取部１５と、印刷部１６と、メディアインタフェース部１７と、第１通信部１８と、第２通信部１９とを備え、これらがバス２０を介して相互に接続されている。なお、メディアインタフェース部のことを、以下「メディアＩ／Ｆ」と略称する。
【００１８】
制御部１１はＣＰＵを有する。記憶部１２は、例えばＲＯＭ、ＲＡＭ、ＮＶＲＡＭ、フラッシュメモリなどの半導体メモリを有する。即ち、機能実行装置１０は、ＣＰＵ及び半導体メモリを含むマイクロコンピュータを備えている。
【００１９】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって実現することに限るものではなく、その一部又は全部について、一つあるいは複数のハードウェアを用いて実現してもよい。
【００２０】
記憶部１２には、後述する待機画面２５（図２参照）を含む、表示部１３に表示させる各種画面のデータが記憶されている。また、記憶部１２には、後述する図９のメイン制御処理のプログラムも記憶されている。上記各機能を実行するためのプログラムは、メイン制御処理のプログラムの一部として含まれていてもよいし、メイン制御処理のプログラムとは別のプログラムであってもよい。
【００２１】
表示部１３は、例えば液晶ディスプレイや有機ＥＬディスプレイなどの、画像を表示可能な表示デバイスを有する。
入力部１４は、各種入力操作を受け付けるための入力用デバイスを有する。入力部１４が有する入力用デバイスには、図２に示す電源ボタン５、テンキー６、戻りボタン７、ホームボタン８、停止ボタン９、及びタッチパネル１４ａが含まれる。タッチパネル１４ａは、表示部１３の表示デバイスにおける画像が表示される画像表示領域に配置される。
【００２２】
タッチパネル１４ａは、表示部１３の画像表示領域に対する、指示体による接触又は近接による指示操作を検出可能である。即ち、タッチパネル１４ａは、表示部１３の画像表示領域に対して指示体による指示操作が行われている場合に、その指示操作が行われている位置である指示位置を示す位置情報を出力可能に構成されている。本実施形態のタッチパネル１４ａは、指示体により指示操作が行われている間、位置情報を連続的又は周期的に出力するよう構成されている。なお、タッチパネル１４ａは、指示操作として接触のみ検出可能な構成であってもよいし、近接のみ検出可能な構成であってもよいし、接触及び近接の両方を検出可能な構成であってもよい。
【００２３】
制御部１１は、タッチパネル１４ａから出力される位置情報を取得し、その取得した位置情報に基づいて、指示体の指示操作の有無、指示操作が行われている場合における指示位置、指示操作が行われている場合における指示体による少なくとも一種類の特定の操作を検出することができる。
【００２４】
制御部１１が検出可能な特定の操作としては、少なくとも、指示体により指示操作が行われた後同じ位置で指示体が離れる操作であるタップ操作がある。指示操作を行うことが可能な指示体の具体的態様は種々考えられ、例えば指先であってもよいし、スタイラスペンなどの特定の指示用デバイスであってもよい。
【００２５】
画像読取部１５は、イメージセンサを備え、原稿の画像を読み取り、読み取った画像の画像データを生成する。画像読取部１５は、ＡＤＦを備えていてもよい。なお、ＡＤＦとは、自動原稿送り装置を意味する、Ａｕｔｏｍａｔｉｃ  Ｄｏｃｕｍｅｎｔ  Ｆｅｅｄｅｒの略称である。また、画像読取部１５は、原稿台或いはＡＤＦにセットされた原稿に対し、その両面の画像を読み取るいわゆる両面スキャンを実行可能に構成されていてもよい。
【００２６】
印刷部１６は、インクジェット技術や電子写真技術の印刷機構を有し、シート状の記録用紙に画像を印刷することが可能である。なお、印刷部１６は、記録用紙の両面に画像を印刷するいわゆる両面印刷を実行可能に構成されていてもよい。
【００２７】
メディアＩ／Ｆ１７は、例えばＵＳＢフラッシュメモリなどの、各種の記憶メディアが装着されるインタフェース部であり、装着された記憶メディアに対するデータの書き込み及び読み出しを制御する。
【００２８】
第１通信部１８は、機能実行装置１０をデータ通信用のネットワークに接続するための通信インタフェースである。第１通信部１８は、例えば、有線ＬＡＮ、無線ＬＡＮ、インターネットなどの各種ネットワークの少なくとも１つに接続可能であってもよい。機能実行装置１０は、第１通信部１８を介して、パソコンやスマートフォン、タブレット端末などの各種情報処理装置と有線又は無線にてデータ通信可能であってもよい。また、機能実行装置１０は、第１通信部１８を介してインターネットに接続し、インターネットを介して他の各種サーバや各種情報処理装置などとデータ通信可能であってもよい。
【００２９】
第２通信部１９は、通信回線１００を通じて外部機器と通信を行うためのインタフェース部である。第２通信部１９に接続される通信回線１００は、本実施形態では例えば公衆電話網である。ファクシミリ機能におけるファクシミリデータの送受信は、基本的には、第２通信部１９を介して行われる。
【００３０】
機能実行装置１０は、通信回線１００を通じて外部機器と接続するための回線側ジャック１０６と、外付電話機１１０を接続するための電話機側ジャック１０７とを備えている。これら各ジャック１０６、１０７はいずれも、同一形状のモジュラージャックとして構成されている。第２通信部１９は、これら各ジャック１０６、１０７に接続されている。
【００３１】
第２通信部１９は、回線側ジャック１０６を介して通信回線１００と接続される。また、電話機側ジャック１０７に外付電話機１１０が接続されている場合は、第２通信部１９は、電話機側ジャック１０７を介して外付電話機１１０と接続される。また、外付電話機１１０は、電話機側ジャック１０７及び回線側ジャック１０６を介して通信回線１００と直接接続される。
【００３２】
（１−２）操作パネルの構成
機能実行装置１０における、不図示の筐体の一側面には、図２に示す操作パネル３が設けられている。操作パネル３には、図２に示すように、電源ボタン５と、テンキー６と、戻りボタン７と、ホームボタン８と、停止ボタン９と、表示部１３と、タッチパネル１４ａとが設けられている。なお、図２に示されている表示部１３は、詳しくは、表示部１３が有する表示デバイスにおける画像表示領域を示している。この画像表示領域のほぼ全範囲にタッチパネル１４ａが重畳配置されている。
【００３３】
電源ボタン５は、機能実行装置１０の電源をオン、オフさせるためにユーザにより操作されるハードキーである。電源ボタン５の押下により機能実行装置１０に電源が投入されて機能実行装置１０の動作が開始されると、制御部１１は、特定の初期化処理を行った後、表示部１３に待機画面２５を表示させる。ユーザは、その待機画面２５を起点として各種入力操作を行うことで、表示部１３に表示させる画面を切り替えたり、各種設定を行ったり、各種機能を実行させたりすることができる。
【００３４】
テンキー６は、例えばファクシミリデータの送信先番号を入力するときやコピー機能におけるコピー部数を入力するときなど、主に数字を入力する際にユーザにより操作される、０〜９までの各数字のハードキーを含む複数のハードキーの総称である。
【００３５】
戻りボタン７は、表示部１３の画面を現在表示されている画面の直前に表示されていた画面に戻すためにユーザに操作されるハードキーである。ホームボタン８は、表示部１３に待機画面２５を表示させるためにユーザに操作されるハードキーである。停止ボタン９は、処理中の動作を停止させるためにユーザにより操作されるハードキーである。
【００３６】
（１−３）待機画面の説明
待機画面２５は、いわゆるタブ形式の画面であり、複数のタブのうち選択状態にされている何れか１つのタブに対応した画面が表示される。複数のタブにはそれぞれ個別にタブ画面が対応付けられており、待機画面２５には、選択状態にされているタブに対応したタブ画面が表示される。
【００３７】
各タブの画像情報や各タブに対応付けられている各タブ画面に含まれる各アイコンの情報などの、待機画面２５を表示させるために必要な各種情報や、待機画面２５に対して入力部１４を介して各種入力操作が行われた場合に実行すべき処理の内容に関する情報などは、記憶部１２に記憶されている。
【００３８】
図２に示すように、待機画面２５は、タブ表示領域３０と、タブ画面表示領域３６とを有する。また、待機画面２５には、管理者ボタン２８が表示される。
タブ表示領域３０には、最大４つのタブが表示される。なお、本実施形態では、タブの総数Ｎｔは、待機画面２５中に同時に表示可能なタブの最大数である４よりも多い。図２は、タブ表示領域３０に、第１タブ〜第ＮｔタブのＮｔ個のタブのうち、第１タブ３１、第２タブ３２、第３タブ３３及び第４タブ３４が表示されている例を示している。
【００３９】
各タブには、それぞれ、当該タブの名称が表示される。選択状態にされているタブは、他のタブとは異なる態様で表示される。他のタブとは異なる態様として、例えば、他のタブと異なる色にする、タブの大きさを他のタブよりも大きくする、タブに特定の装飾を加える、などが考えられる。図２は、第１タブ３１が選択状態にされていて、第１タブ３１が他のタブとは異なる色で表示されている例を示している。
【００４０】
各タブに対応付けられている各タブ画面は、複数のアイコンが配列された画面である。本実施形態では、１つのタブ画面に８個のアイコンが表示される。即ち、待機画面２５における、タブ画面表示領域３６には、第１タブ〜第Ｎｔタブの全Ｎｔ個のタブそれぞれに対応した各タブ画面（第１タブ画面〜第Ｎｔタブ画面）のうち、選択状態にされている１つのタブに対応したタブ画面が表示される。図２は、選択状態の第１タブ３１に対応付けられたタブ画面である第１タブ画面４０が表示されている例を示している。
【００４１】
第１タブ画面４０には、第１アイコン４１〜第８アイコン４８が表示される。各アイコンの具体的種類は、後述するように、管理者権限にて変更することができる。図２に例示する第１タブ画面４０においては、第１アイコン４１はファクスアイコンであり、第２アイコン４２はコピーアイコンであり、第３アイコン４３はスキャンアイコンであり、第４アイコン４４は未登録アイコンであり、第５アイコン４５は設定メニューアイコンであり、第６アイコン４６はセキュリティ印刷アイコンであり、第７アイコン４７は２ｉｎ１ＩＤコピーアイコンであり、第８アイコン４８は未登録アイコンである。
【００４２】
待機画面２５における、タブ表示領域３０の両端近傍には、左ボタン２６及び右ボタン２７が表示される。Ｎｔ個のタブの左右方向の配列順は予め決められている。現在表示されている４つのタブよりも左側に他のタブが配列されている場合は、左ボタン２６をタップすることによって、表示対象のタブを右側にスクロールさせることで、現在表示されている４つのタブよりも左側に配列されているタブを表示させることができる。逆に、現在表示されている４つのタブよりも右側に他のタブが配列されている場合は、右ボタン２７をタップすることによって、表示対象のタブを左側にスクロールさせることで、現在表示されている４つのタブよりも右側に配列されているタブを表示させることができる。
【００４３】
現在選択状態にされているタブのタブ画面から、他のタブのタブ画面に切り替えたい場合は、切り替え先のタブをタップすればよい。現在選択状態のタブ以外のタブをタップすると、そのタップしたタブが選択状態にされて、待機画面２５のタブ画面表示領域３６には、その新たに選択状態にされたタブに対応したタブ画面が表示される。
【００４４】
例えば、図３の左側に示されているように、待機画面２５として、第１タブ３１に対応した第１タブ画面４０が表示されているとする。この状態から、例えば、タブ名が「基本機能２」の第２タブ３２をタップすると、図３の右側に示すように、選択状態のタブが第１タブ３１から第２タブ３２に切り替わり、その切り替わり後の第２タブ３２に対応した第２タブ画面５０がタブ画面表示領域３６に表示される。
【００４５】
第２タブ画面５０にも、第１アイコン５１〜第８アイコン５８の８個のアイコンが表示される。第２タブ画面５０において、第１アイコン５１はメディアプリントアイコンであり、第２アイコン５２はクラウドアイコンであり、第３アイコン５３は便利ツールアイコンであり、第５アイコン５５は後述するスキャンｔｏファイル機能のショートカットアイコンである。第４アイコン５４、第６アイコン５６〜第８アイコン５８は、いずれも未登録アイコンである。
【００４６】
待機画面２５のタブ画面に含まれるアイコンには、大きく分類すると、三種類のアイコンがある。具体的に、機能実行用アイコンと、設定用アイコンと、未登録アイコンがある。機能実行用アイコンは、当該機能実行装置１０が有する上記規定の複数の機能のうち何れかの機能を実行させるための、その実行対象の機能が登録されたアイコンである。設定用アイコンは、各種設定項目を設定するための、その設定対象の特定の項目あるいは複数の項目のリスト等が登録されたアイコンである。未登録アイコンは、機能及び設定項目等が何ら登録されていないアイコンであり、ユーザによって任意の機能或いは設定項目を新規に登録することが可能なアイコンである。
【００４７】
機能実行用アイコンは、さらに、規定機能アイコンと、ショートカットアイコンとの二種類に分類される。規定機能アイコンは、当該機能実行装置１０が有するスキャン機能、印刷機能、コピー機能、ファクシミリ機能、ウェブサービス機能、便利ツール機能などの規定の複数の機能のうち何れかを実行させるための、その実行対象の規定の機能が登録されたアイコンである。規定機能アイコンは、当該機能実行装置１０の出荷時に予め登録されている。規定機能アイコンに登録されている各種設定値は、予め決められたデフォルト値である。ただし、そのデフォルト値は、規定機能アイコンをタップして対応機能を実行させる際にユーザが確認、変更することができる。
【００４８】
ショートカットアイコンには、上記規定の複数の機能のうちいずれかをユーザが予め設定した特定の実行条件で実行させるショートカット機能が登録される。ショートカットアイコンは、当該機能実行装置１０の出荷時から予め登録されているアイコンではなく、未登録アイコンに対してユーザが任意に登録操作を行うことによって、その未登録アイコンに代わって生成されるアイコンである。
【００４９】
規定機能アイコンが、各設定値の初期値が予め決められているのに対し、ショートカットアイコンについては、ユーザ自ら、実行対象の機能、及びその機能をどのような設定条件で実行させるか、などについて任意に設定、登録することができる。
【００５０】
なお、未登録アイコンに対しては、任意のショートカット機能を登録してショートカットアイコンとすることができるほか、任意の機能を登録することにより規定機能アイコンとしたり、任意の設定項目を登録することにより設定用アイコンとすることもできる。
【００５１】
ショートカットアイコンは、さらに、通常ショートカットアイコンと、ワンタッチショートカットアイコンとの二種類に分類される。通常ショートカットアイコンは、当該通常ショートカットアイコンがタップされた場合に、登録されているショートカット機能をすぐに開始するのではなく、一旦、所定の確認画面が表示されるように構成されたショートカットアイコンである。
【００５２】
通常ショートカットアイコンをタップすると確認画面が表示され、ユーザは、その確認画面を介してショートカット機能の設定値を確認したり変更したりすることができる。そして、確認画面が表示された後、特定の実行開始操作を行うと、登録されているショートカット機能が開始される。
【００５３】
一方、ワンタッチショートカットアイコンは、当該ワンタッチショートカットアイコンがタップされたら、ユーザによる入力操作を要することなくすぐに登録されているショートカット機能が開始されるよう構成されたアイコンである。
【００５４】
図２及び図３の左側に示す、第１タブ３１に対応した第１タブ画面４０が表示された待機画面２５において、第１アイコン４１としてのファクスアイコンは、ファクシミリ機能を実行させるための規定機能アイコンである。第２アイコン４２としてのコピーアイコンは、コピー機能を実行させるための規定機能アイコンである。第３アイコン４３としてのスキャンアイコンは、スキャン機能を実行させるための規定機能アイコンである。第５アイコン４５としての設定メニューアイコンは、少なくとも一種類の設定項目の設定値を設定するための設定用アイコンである。
【００５５】
第６アイコン４６としてのセキュリティ印刷アイコンは、印刷機能のうち特にセキュリティ印刷を実行させるための規定機能アイコンである。セキュリティ印刷は、印刷機能における特定の実行態様であり、パソコンやスマートフォンなどの各種情報処理装置から機能実行装置１０へパスワード付きの印刷ジョブを送信した後、機能実行装置１０において同じパスワードを入力することで印刷が実行される機能である。
【００５６】
第７アイコン４７としての２ｉｎ１ＩＤコピーアイコンは、コピー機能のうち特に２ｉｎ１ＩＤコピーを実行させるための規定機能アイコンである。２ｉｎ１ＩＤコピーは、コピー機能における特定の実行態様であり、カードサイズの原稿の両面の画像を読み取り、その読み取った両面の画像を１枚の記録用紙の同一面に割り付けて印刷する機能である。
【００５７】
また、図３の右側に示す、第２タブ３２に対応した第２タブ画面５０が表示された待機画面２５において、第１アイコン５１としてのメディアプリントアイコンは、印刷機能のうち特にメディア印刷を実行させるための規定機能アイコンである。メディア印刷は、印刷機能における特定の実行態様である。具体的に、メディア印刷は、メディアＩ／Ｆ１７に接続された記憶メディアに記憶されている画像データの画像を印刷機能により印刷させる機能である。
【００５８】
第２アイコン５２としてのクラウドアイコンは、ウェブサービス機能を利用するための規定機能アイコンである。ウェブサービス機能は、インターネット等のネットワークを介して提供される、画像やファイルのアップロード、アップロードした画像等の閲覧、アップロードした画像等のダウンロードなどが可能なウェブサービスを利用する機能である。
【００５９】
第３アイコン５３としての便利ツールアイコンは、便利ツール機能を利用するための規定機能アイコンである。便利ツール機能は、インターネット等のネットワークを介して特定のツールコンテンツ提供サイトにアクセスし、そのツールコンテンツ提供サイトが提供する各種サービスを利用する機能である。
【００６０】
第５アイコン５５としての、スキャンｔｏファイル機能のショートカットアイコンは、後述するスキャンｔｏファイル機能のショートカット機能が登録されたショートカットアイコンである。
【００６１】
（１−４）機能実行装置が有する機能の概要
機能実行装置１０が実行可能な機能及びその具体的実行態様等について説明する。
コピー機能を利用したい場合、ユーザは、機能実行装置１０が有する不図示の原稿台あるいはＡＤＦに原稿をセットし、待機画面２５中のコピーアイコン（図３の例では、第１タブ画面４０中の第２アイコン４２）をタップする。コピーアイコンをタップすると、コピー機能が開始される。具体的に、表示部１３に、コピー機能実行に必要な各種設定項目のデフォルトの設定値が表示されたコピー設定画面が表示される。そのコピー設定画面に対し、各種設定値を確認、変更等することができる。コピー設定画面に表示されているスタートボタンを押すと、設定されている設定値に基づくコピー機能が実行される。
【００６２】
コピー機能実行中は、表示部１３に、図４に示す擬似待機画面８０が表示される。実行中のコピー機能が終了すると、表示部１３に表示される画面は擬似待機画面８０から再び待機画面２５に切り替わる。擬似待機画面８０には、現在実行中の機能を示す実行中機能名８１が表示される。また、擬似待機画面８０には、規定機能アイコンとしての、ファクスアイコン８６、コピーアイコン８７、及びスキャンアイコン８８が表示される。
【００６３】
ユーザは、擬似待機画面８０に表示されているこれら各規定機能アイコン８６〜８８のうちいずれかをタップすることで、現在実行中のコピー機能と並行して、そのタップした規定機能アイコンに対応した機能を開始させることができる。この場合、並行して開始させることが可能な機能は、現在実行中の機能以外の機能に限定されず、現在実行中の機能と同じ機能を並行して開始させることもできる。例えば、コピー機能の実行中、擬似待機画面８０中のコピーアイコン８７をタップすることで、次のコピーのための各種設定操作等を行うことができる。
【００６４】
例えば、擬似待機画面８０中のファクスアイコン８６をタップすることで、実行中のコピー機能と並行して、ファクシミリデータの送信に必要な操作入力を行うことができる。このとき、コピー機能における、原稿の画像の読み取りがすでに終了していて記録用紙への印刷が行われている状態の場合は、印刷が行われている最中であっても、ファクシミリ送信用の原稿をセットしてファクシミリ送信を実行させることができる。
【００６５】
スキャン機能を利用したい場合は、ユーザは、機能実行装置１０が有する不図示の原稿台あるいはＡＤＦに原稿をセットし、待機画面２５中のスキャンアイコン（図３の例では、第１タブ画面４０中の第３アイコン４３）をタップする。スキャンアイコンをタップすると、スキャン機能が開始される。具体的に、表示部１３にスキャンメニュー画面が表示される。スキャンメニューとしては、例えば、スキャンｔｏメディア、スキャンｔｏファイルなどがある。
【００６６】
スキャンメニュー画面の中から、実行させたいスキャンメニューが選択されると、その選択されたスキャンメニューに対応したスキャン機能の設定画面が表示される。スキャン機能の設定画面には、選択されたスキャンメニューのスキャン機能を実行する際に必要な各種設定項目のデフォルトの設定値が表示される。その設定画面において、各種設定値を確認したり変更したりすることができる。そして、その設定画面に表示されているスタートボタンをタップすると、設定されている設定値に基づくスキャン機能が実行される。
【００６７】
前述のコピー機能実行中と同様、スキャン機能の実行中も、表示部１３に、図４に示す擬似待機画面８０が表示される。そして、擬似待機画面８０に表示されている各規定機能アイコン８６〜８８のうちいずれかをタップすることで、現在実行中のスキャン機能と並行して、そのタップした規定機能アイコンに対応した機能を開始させることができる。
【００６８】
ファクシミリ機能を利用したい場合は、ユーザは、待機画面２５中のファクスアイコン（図３の例では、第１タブ画面４０中の第１アイコン４１）をタップする。ファクスアイコンをタップすると、ファクシミリデータの送信のための処理に進む。具体的に、ファクシミリ送信に必要な各種設置項目（例えば原稿サイズ、ファクス画質など）の現在の設定値やファクシミリ番号の入力欄等が表示されたファクシミリ送信設定画面が表示される。ユーザは、そのファクシミリ送信設定画面に対してファクシミリ番号を入力し、スタートボタンをタップすることで、ファクシミリデータの送信を実行させることができる。ファクシミリデータの送信中も、擬似待機画面８０が表示され、擬似待機画面８０中のいずれかの規定機能アイコンをタップすることで、そのタップした規定機能アイコンに対応した機能を開始させることができる。
【００６９】
ファクシミリ機能のうち特にファクシミリデータを受信する際の動作モードである受信モードとして、本実施形態では、少なくとも、ファクス専用モード及びマニュアルモードの２つのモードがある。ユーザは、これら２つのモードのうち何れか１つを受信モードとして設定することができる。
【００７０】
上記２つの受信モードのうち、マニュアルモードは、機能実行装置１０に外付電話機１１０を接続してファクシミリと電話の両方を使用できるようにされている場合に設定する機能である。具体的に、回線からの着信時、設定した回数の着信音を鳴動させる。この鳴動の間に外付電話機１１０がオンフックされたら、外付電話機１１０と回線とが接続され、電話着信であればそのまま外付電話機１１０による外線通話が可能となる。一方、ファクシミリ着信の場合は、規定機能アイコンの１つであるファクスアイコンをタップした後、画面表示に従ってファクシミリ受信を指示することで、ファクシミリデータを受信することができる。
【００７１】
次に、ショートカット機能について説明する。ショートカット機能は、前述の通り、未登録アイコンに対してユーザが任意に登録することができる。ショートカット機能として登録可能な機能は、例えば、前述の規定の機能、即ちファクシミリ機能、コピー機能、スキャン機能、ウェブサービス機能、便利ツール機能などである。
【００７２】
例えばコピー機能のショートカット機能を登録したい場合は、まず、何れかのタブのタブ画面に含まれている未登録アイコンをタップする。未登録アイコンをタップすると、登録可能な機能及び設定項目のリストが表示される。ユーザは、表示されているリストの中から、登録対象の機能又は設定項目を選択できる。
【００７３】
何れかの設定項目が選択された場合は、その設定項目に対応した設定用アイコンが新規に生成される。つまり、登録対象のアイコンが、未登録アイコンから、今回登録した設定項目の設定用アイコンとなる。以後、この設定用アイコンをタップすることで、登録されている設定項目の設定値を確認したり変更したりすることができる。
【００７４】
一方、何れかの機能が選択された場合は、さらに、その機能について、規定機能アイコンとして登録するか、それともショートカットアイコンとして登録するかをユーザに選択させるための選択画面が表示される。
【００７５】
規定機能アイコンとしての登録が選択された場合は、選択された機能に対応した規定機能アイコンが新規に生成される。つまり、登録対象のアイコンが、未登録アイコンから、今回登録した規定機能アイコンとなる。本実施形態では、出荷時からすでに設けられている規定機能アイコンと同じ規定機能アイコンを新規登録することもできる。
【００７６】
一方、ショートカットアイコンとしての登録が選択された場合は、選択された機能を具体的にどのような実行条件で実行させるかをユーザに設定させるための設定画面が表示される。ユーザは、この設定画面を介して、選択した機能の具体的な実行条件、即ち選択した機能を実行させるために必要な各種設定項目の設定値を任意に設定することができる。そして、ユーザにより設定完了を示す操作が行われると、選択した機能を特定の実行条件で実行させることが可能なショートカットアイコンが生成される。つまり、登録対象のアイコンが、未登録アイコンから、今回登録したショートカット機能用のショートカットアイコンとなる。以後、このショートカットアイコンをタップすることで、登録されている機能を、登録されている特定の実行条件に従って容易に実行させることができる。
【００７７】
なお、ショートカット機能の登録の際には、ユーザは、ショートカット機能を通常ショートカット機能として登録するか、それともワンタッチショートカット機能として登録するか、について選択することができる。
【００７８】
通常ショートカット機能とは、ショートカットアイコンをタップしてもすぐには機能実行が開始されず、機能実行開始のためにはさらに少なくとも１回のユーザ操作が必要となるようなショートカット機能である。本実施形態では、通常ショートカット機能のショートカットアイコンがタップされた場合、表示部１３に、当該ショートカット機能の各種設定値及びＯＫボタン等を含む確認画面が表示される。ユーザが、その確認画面においてＯＫボタンをタップすると、登録されているショートカット機能が実行される。
【００７９】
ワンタッチショートカット機能とは、ショートカットアイコンをタップすると再度のユーザ操作を要することなく機能が自動的に実行されるようなショートカット機能である。
図３中の右側に示す第２タブ画面５０が表示された状態の待機画面２５において、第５アイコン５５は、通常ショートカット機能が登録されたショートカットアイコンである。通常ショートカット機能のショートカットアイコンには、図３に示すように、通常ショートカット機能が登録されていることを示す通常ショートカットマーク９１が付加される。
【００８０】
また、後述する図５（ｂ）に示す待機画面設定画面６０において、第１タブ３１に対応した第１タブ画面４０に含まれている第８アイコン４８は、ショートカットアイコンであって、特にワンタッチショートカット機能が登録されたアイコンを示す。ワンタッチショートカット機能が登録されたショートカットアイコンには、図５（ｂ）に示すように、ワンタッチショートカット機能が登録されていることを示すワンタッチショートカットマーク９２が付加される。
【００８１】
（１−５）管理機能の説明
図２及び図３に示したように、待機画面２５には、管理者ボタン２８が表示される。管理者ボタン２８をタップすると、管理者認証用の認証画面が表示される。その認証画面に対し、パスワード入力などの認証用の所定の入力操作を行うと、認証処理が行われる。
【００８２】
認証処理は、特定の認証条件が成立したか否かを判断する処理である。認証条件の１つには、入力されたパスワードが予め登録されている正規のパスワードと一致すること、が含まれる。認証処理の結果、認証条件が成立した場合は、表示部１３に、図５（ａ）に示すような、待機画面設定画面６０が表示される。待機画面設定画面６０は、各タブの各タブ画面に含まれる各アイコンに対して各種の編集操作を行うことが可能な画面である。
【００８３】
待機画面設定画面６０は、図５（ａ）に示すように、タブ表示領域３０と、タブ画面表示領域３６と、編集ボタン表示領域６１とを有する。このうちタブ表示領域３０及びタブ画面表示領域３６の表示内容は、待機画面２５と基本的に同じである。また、タブの選択状態を切り替えることによってタブ画面４０の内容を切り替えることができることについても、待機画面２５と同様である。
【００８４】
編集ボタン表示領域６１には、各タブの各タブ画面に含まれる各アイコンの一部又は全てを処理対象として各種の編集操作を行うための、編集操作の種類毎の個別のアイコン編集ボタンが表示される。具体的に、本実施形態では、アイコン編集ボタンとして、左移動ボタン６２、右移動ボタン６３、入れ替えボタン６４、消去ボタン６５、及び一括消去ボタン６６が表示される。
【００８５】
一括消去ボタン６６は、全てのタブに登録されている全てのアイコンを一括消去するためのボタンである。いずれのアイコンも選択されていない状態で、一括消去ボタン６６がタップされると、全てのタブに登録されている全てのアイコンを一括消去してもよいか否かの確認画面が表示される。その確認画面に対し、一括消去してもよい旨の操作を行うと、全てのタブに登録されている全てのアイコンが消去され、各タブの各アイコンは全て未登録アイコンとなる。
【００８６】
消去ボタン６５は、選択した特定のアイコン（但し未登録アイコンを除く）を消去するためのボタンである。消去対象のアイコンをタップすることによりそのアイコンを選択状態にした状態で、消去ボタン６５をタップすると、選択状態にされているアイコンが消去され、未登録アイコンに切り替わる。
【００８７】
入れ替えボタン６４は、何れか２つのアイコンの位置を入れ替えるためのボタンである。入れ替えの手順はおおよそ次の通りである。即ち、まず、入れ替え対象の２つのアイコンのうち１つ（但し未登録アイコンを除く）をタップして選択状態とする。その状態で、入れ替えボタン６４をタップする。その後、入れ替え対象の２つのアイコンのうち他の１つ（未登録アイコンも可）をタップすると、入れ替え対象の２つのアイコンの位置が入れ替わる。なお、入れ替えボタン６４のタップ後、タブを切り替えて別のタブのアイコンを選択することで、異なるタブ間でのアイコンの入れ替えも可能である。
【００８８】
右移動ボタン６３は、何れか１つのアイコンを、当該アイコンの右側に移動させるためのボタンである。移動対象のアイコンが右側に移動すると、その右側にもともと配置されていた他のアイコンが逆に左側に移動してくる。つまり、右移動ボタン６３は、左右に隣接する２つのアイコンを入れ替えるためのボタンであるとも言える。
【００８９】
右移動の手順はおおよそ次の通りである。即ち、まず移動対象のアイコンをタップして選択状態とする。その状態で、右移動ボタン６３をタップすると、選択状態にされているアイコンと、その右隣に配置されているアイコンとの位置が、入れ替わる。なお、右移動についても、異なるタブ間での右移動も可能である。例えば第ｎタブ画面における最も右側のアイコンである第８アイコンを移動対象として右移動を行った場合は、その移動対象のアイコンは、当該第ｎタブ画面の次のタブ画面である第ｎ＋１タブ画面における最も左側のアイコンである第１アイコンの位置に移動する。その代わりに、第ｎ＋１タブ画面の第１アイコンの位置にあったアイコンは、第ｎタブ画面の第８アイコンの位置に移動する。
【００９０】
左移動ボタン６２は、何れか１つのアイコンを、当該アイコンの左側に移動させるためのボタンである。移動対象のアイコンが左側に移動すると、その左側にもともと配置されていた他のアイコンが逆に右側に移動してくる。つまり、左移動ボタン６２も、結果的には、右移動ボタン６３と同様、左右に隣接する２つのアイコンを入れ替えるためのボタンであるとも言える。
【００９１】
左移動の手順はおおよそ次の通りである。まず移動対象のアイコンをタップして選択状態とする。その状態で左移動ボタン６２をタップすると、選択状態にされているアイコンと、その左隣に配置されているアイコンとの位置が、入れ替わる。左移動についても、異なるタブ間での左移動も可能である。例えば第ｎタブ画面における最も左側のアイコンである第１アイコンを移動対象として左移動を行った場合は、その移動対象のアイコンは、当該第ｎタブ画面の１つ前のタブ画面である第ｎ−１タブ画面における最も右側のアイコンである第８アイコンの位置に移動する。その代わりに、第ｎ−１タブ画面の第８アイコンの位置にあったアイコンは、第ｎタブ画面の第１アイコンの位置に移動する。
【００９２】
アイコンに対する各種編集操作の具体例を、図５（ａ）、図５（ｂ）、図６（ａ）、図６（ｂ）を用いて説明する。図５（ａ）は、待機画面２５が図３に示すように構成されている場合に、その待機画面２５中の管理者ボタン２８がタップされて認証処理を経て表示される、待機画面設定画面６０の一例である。図５（ａ）は、図３の待機画面２５から待機画面設定画面６０に切り替わった直後であり、各タブの各タブ画面の内容は、図３の待機画面２５と全く同じである。待機画面設定画面６０が表示された後、編集ボタン表示領域６１に表示されている各編集ボタン６２〜６６を用いることで、上述したような、アイコンに対する各種編集を行うことができる。
【００９３】
図５（ｂ）は、図５（ａ）の状態から、第１タブ３１の第１タブ画面４０における第６アイコン４６としてのセキュリティ印刷アイコン及び第７アイコン４７としての２ｉｎ１ＩＤアイコン、第２タブ３２の第２タブ画面５０における第１アイコン５１としてのメディアプリントアイコンをそれぞれ消去ボタン６５を用いて消去した状態である。
【００９４】
また、図５（ｂ）は、図５（ａ）の第１タブ３１の第１タブ画面４０における、第８アイコン４８としての未登録アイコンに対し、ショートカット機能を新規登録したことによって、当該第８アイコン４８がショートカットアイコンとなった状態を示している。このショートカットアイコンには、前述のワンタッチショートカットマーク９２が付加されている。つまり、このショートカットアイコンは、ワンタッチショートカット機能が登録されていることを示している。
【００９５】
なお、未登録アイコンに対する、ショートカットアイコン、規定機能アイコン又は設定用アイコンの新規登録は、待機画面２５及び待機画面設定画面６０の双方において行うことができる。
【００９６】
図６（ａ）は、図５（ｂ）の状態から、第１タブ３１の第１タブ画面４０における、第８アイコン４８としてのワンタッチショートカット機能のショートカットアイコンを、左移動ボタン６２を用いて左側に移動させた状態を示している。第８アイコン４８としてのショートカットアイコンを左側に移動させることで、代わりに、第７アイコン４７の位置に配置されていた未登録アイコンが第８アイコン４８の位置に移動されている。
【００９７】
また、図６（ａ）は、図５（ｂ）の状態から、第２タブ３２の第２タブ画面５０における、第５アイコン５５としての通常ショートカット機能のショートカットアイコンを、入れ替えボタン６４を用いて、上側の第１アイコン５１としての未登録アイコンと入れ替えた状態を示している。
【００９８】
図６（ｂ）は、図６（ａ）の状態から、第２タブ３２の第２タブ画面５０における最も左側に位置している、第１アイコン５１としての通常ショートカット機能のショートカットアイコンを、左移動ボタン６２を用いて左側に移動させた状態を示している。第２タブ画面５０中の最も左側の第１アイコン５１に対して左移動ボタン６２による左側移動を実行させると、タブをまたいで、一つ前の第１タブ３１の第１タブ画面４０における最も右側のアイコンである第８アイコン４８と入れ替わる。
【００９９】
また、図６（ｂ）は、図６（ａ）の状態から、第２タブ３２の第２タブ画面５０における第２アイコン５２としてのウェブサービスアイコンを、入れ替えボタン６４を用いて、第１タブ画面４０における第４アイコン４４としての未登録アイコンと入れ替えた状態を示している。つまり、異なるタブ画面間での、タブをまたいだアイコンの入れ替えの一例を示している。
【０１００】
待機画面設定画面６０において各種編集操作を行った後、ホームボタン８が押下されると、表示部１３には待機画面２５が表示される。その際に表示される待機画面２５は、待機画面設定画面６０で行った各種編集操作による編集結果が反映された内容となる。
【０１０１】
このように、待機画面設定画面６０において各種編集操作を行うことで、ユーザは、各タブの各タブ画面を様々にカスタマイズすることができる。つまり、どのタブ画面にどのようなアイコンを配置するかを自在に決めることができる。
【０１０２】
（１−６）擬似待機画面に関する補足説明
規定の複数の機能のうち何れかの実行が開始されると、その実行中、図４に示すような擬似待機画面８０が表示される。また、待機画面２５が表示されている状態でファクシミリデータの着信があった場合、ファクシミリ機能の１つとしての、そのファクシミリデータを受信するための処理が開始され、これにより擬似待機画面８０が表示される。
【０１０３】
本実施形態では、擬似待機画面８０には、各種規定機能アイコンのうち、ファクスアイコン８６、コピーアイコン８７、及びスキャンアイコン８８が表示され、これにより何らかの機能が実行中であってもそれと並行してファクシミリ機能、コピー機能及びスキャン機能の何れかを実行できるよう構成されている。なお、擬似待機画面８０に表示される規定機能アイコンの数や種類は適宜決めてもよい。
【０１０４】
待機画面２５に表示されるアイコン、即ち各タブ毎の各タブ画面が有する各アイコンに対しては、前述の通り、待機画面設定画面６０において消去や移動などの各種編集を行うことができる。よって、図７の上段に示すような第１タブ画面４０を有する待機画面２５に対し、第１アイコン４１としてのファクスアイコンを消去することもできる。
【０１０５】
ここで、ファクシミリデータの受信モードとして、ファクス専用モードが設定されているとする。ファクス専用モードは、着信時、ユーザによる画面操作を要することなく自動的にファクシミリデータが受信されて記憶部１２に保存される受信モードである。図７の上段の第１タブ画面４０には、第４アイコン４４として、ファクシミリ機能の受信モードを設定する画面に移行するための設定用アイコンである受信モード設定アイコンが登録されている。この受信モード設定アイコンには、図７に示すように、現在設定されている受信モードが表示される。
【０１０６】
第１タブ画面４０中の第１アイコン４１としてのファクスアイコンを消去する編集操作を行うと、第１タブ画面４０の内容は、図７の中段に示すように、第１アイコン４１として存在していたファクスアイコンが消去されて代わりに未登録アイコンが表示された状態となる。これにより、ユーザは、ファクシミリデータの送信ができなくなる。ただし、受信モードがファクス専用モードに設定されている場合は、待機画面２５からファクスアイコンが消去されていても、ファクシミリデータの受信については自動的に行われる。
【０１０７】
待機画面２５からファクスアイコンが消去された場合に、受信モードがファクス専用モードに設定されている場合は、擬似待機画面８０においても、図７の下段に示すようにファクスアイコン８６が表示されなくなる。よって、管理者は、ファクシミリデータの送信を禁止させたい場合には、待機画面からファクスアイコンを消去させることで、ファクシミリデータの送信ができない状態にすることができる。
【０１０８】
ただし、待機画面２５からファクシミリアイコンを消去させても、ファクシミリデータの受信モードがマニュアルモードに設定されている場合は、擬似待機画面８０にはファクスアイコン８６が表示される。
【０１０９】
具体的に、図８の上段に示すような第１タブ画面４０を有する待機画面２５に対し、待機画面設定画面６０において、その第１タブ画面４０中の、第１アイコン４１としてのファクスアイコンを消去する編集操作を行うと、第１タブ画面４０の内容は、図８の中段に示すように、第１アイコン４１として存在していたファクスアイコンが消去されて代わりに未登録アイコンが表示された状態となる。
【０１１０】
このとき、ファクシミリデータの受信モードとして、マニュアルモードが設定されているとする。マニュアルモードは、着信時、ユーザによるファクスアイコンの操作が必要な受信モードである。図８の上段及び中段に示す第１タブ画面４０において、第４アイコン４４として登録されている受信モード設定アイコンには、現在設定されている受信モードがマニュアルモードであることが表示されている。
【０１１１】
待機画面２５が表示されているときにファクシミリデータの着信を受けた場合、制御部１１は、ファクシミリ機能の１つである、ファクシミリデータの受信のための処理を開始する。このとき、表示部１３に表示される画面は、待機画面２５から擬似待機画面８０に切り替わる。この場合、待機画面２５からはファクスアイコンが消去されているものの、図８の下段に示すように、擬似待機画面８０には、ファクスアイコン８６が表示される。よって、ユーザは、擬似待機画面８０に表示されているファクスアイコン８６をタップすることによって、マニュアルモードに対応したファクシミリデータの受信を正常に実行させることができる。
【０１１２】
なお、待機画面２５からファクスアイコンが消去されていても、受信モードがマニュアルモードであれば擬似待機画面８０にはファクスアイコン８６が表示されるが、その場合、擬似待機画面８０中のファクスアイコン８６をタップして実行できるファクシミリ機能は、ファクシミリデータの受信であり、送信はできない。ただし、送信をできないようにすることは必須ではなく、擬似待機画面８０にファクスアイコン８６が表示される場合にはそのファクスアイコン８６をタップすることによってファクシミリデータの送信もできるような仕様であってもよい。
【０１１３】
上記のように、本実施形態では、ある特定の規定機能に関する機能実行用アイコンが全て消去された場合は、原則として、擬似待機画面８０においてもその規定機能に対応した規定機能アイコンは表示されなくなる。
【０１１４】
なお、擬似待機画面８０に規定機能アイコンが表示されるよう設定されている規定機能に関し、全タブ画面の中に当該規定機能の機能実行用アイコンが１つでも存在している場合は、当該規定機能の規定機能アイコンは擬似待機画面８０に表示される。
【０１１５】
例えば、図３の左側に示す待機画面２５から、第２アイコン４２としてのコピーアイコンを消去したとする。この場合、コピーアイコンは消去されるものの、コピー機能に関する機能実行用アイコンである、第７アイコン４７としての２ｉｎ１ＩＤコピーアイコンはまだ残っている。このような場合は、擬似待機画面８０にはコピーアイコン８７が表示される。コピーアイコンに加えて２ｉｎ１ＩＤコピーアイコンも消去され、全タブ画面を通してコピー機能に関する機能実行用アイコンが存在しなくなった場合は、擬似待機画面８０にコピーアイコン８７が表示されなくなる。
【０１１６】
（１−７）メイン制御処理の説明
次に、前述の各種機能を実現するために制御部１１が実行するメイン制御処理について、図９を用いて説明する。制御部１１は、電源ボタン５の押下により電源が投入されて起動すると、図９のメイン制御処理を実行する。
【０１１７】
制御部１１は、図９のメイン制御処理を開始すると、Ｓ１１０で、待機画面情報を取得する。即ち、表示部１３に表示させる待機画面２５に関する情報を記憶部１２から取得する。Ｓ１２０では、Ｓ１１０で取得した待機画面情報に基づいて、表示部１３に待機画面２５を表示させる。なお、タブ画面の初期値、即ち、起動後最初に待機画面２５に表示させるタブ画面、機能実行終了後に表示される待機画面２５中のタブ画面、ホームボタン８の押下時に表示される待機画面２５中のタブ画面は、適宜決めてよく、本実施形態では例えば第１タブ３１に対応した第１タブ画面４０である。
【０１１８】
Ｓ１３０では、待機画面２５中の管理者ボタン２８がタップされたか否か判断する。管理者ボタン２８がタップされた場合は、Ｓ１４０で、前述の認証処理を行う。そして、パスワード一致等の認証条件が成立して認証が成功した場合は、Ｓ１５０で、表示部１３に、待機画面設定画面６０を表示させる。
【０１１９】
Ｓ１６０では、表示編集処理を実行する。具体的に、待機画面設定画面６０中の編集ボタン表示領域６１に表示されている各アイコン編集ボタン６２〜６６を用いた各編集操作が行われた場合に、その編集操作の内容に応じて、アイコンの移動、消去等の処理を行う。記憶部１２の待機画面情報は、Ｓ１６０の表示編集処理の結果に応じて更新される。
【０１２０】
Ｓ１７０では、ホームボタン８が押下されたか否か判断する。ホームボタン８が押下されない場合は、Ｓ１６０に戻り、待機画面設定画面６０の表示を継続させ、編集操作が行われた場合には表示編集処理を実行する。ホームボタン８が押下された場合は、Ｓ１１０に戻り、Ｓ１１０及びＳ１２０を経て再び表示部１３に待機画面２５を表示させる。
【０１２１】
Ｓ１３０で、待機画面２５中の管理者ボタン２８がタップされない場合は、Ｓ１８０に進む。Ｓ１８０では、ファクシミリデータの着信を検出したか否か判断する。ファクシミリデータの着信を検出した場合、Ｓ２５０に進む。
【０１２２】
Ｓ２５０では、待機画面２５から、規定機能アイコンの１つであるファクスアイコンが消去されているか否か判断する。本実施形態では、図３に示したように、ファクスアイコンは第１タブ画面４０の第１アイコン４１として予め登録されているが、前述の変種操作によって消去することもできる。
【０１２３】
待機画面２５からファクスアイコンが消去されていない場合は、Ｓ２７０に進む。待機画面２５からファクスアイコンが消去されている場合は、Ｓ２６０に進む。Ｓ２６０では、受信モードがマニュアルモードに設定されているか否か判断する。マニュアルモードに設定されている場合は、Ｓ２７０に進む。
【０１２４】
Ｓ２７０では、表示部１３に擬似待機画面８０を表示させる。このとき、擬似待機画面８０には、図８の下段に例示したように、ファクスアイコン８６を表示させる。擬似待機画面８０を表示させた後、Ｓ２９０で、着信対応処理を実行する。Ｓ２７０からＳ２９０に進んできた場合、Ｓ２９０では、具体的には、擬似待機画面８０中のファクスアイコン８６がユーザにタップされるのを待ち、タップされたら、ファクシミリデータの受信処理を行う。ファクシミリデータを受信し記憶部１２に保存させたら、着信対応処理を終了して、Ｓ１１０に進む。
【０１２５】
Ｓ２６０で、受信モードがマニュアルに設定されていない場合、即ちファクス専用モードに設定されている場合は、Ｓ２８０に進む。Ｓ２８０では、表示部１３に擬似待機画面８０を表示させる。このとき、擬似待機画面８０には、図７の下段に例示したように、ファクスアイコン８６を表示させない。擬似待機画面８０を表示させた後は、Ｓ２９０で、着信対応処理を実行する。Ｓ２８０からＳ２９０に進んできた場合、Ｓ２９０では、具体的には、ユーザ操作を介することなく、ファクシミリデータの受信処理を自動的に行う。ファクシミリデータを受信し記憶部１２に保存させたら、着信対応処理を終了して、Ｓ１１０に進む。
【０１２６】
Ｓ１８０で、ファクシミリデータの着信が検出されない場合は、Ｓ１９０に進む。Ｓ１９０では、コピー開始の指示がなされたか否か判断する。コピー開始の指示とは、待機画面２５中の各アイコンの中でコピー機能に対応したアイコンがタップされることである。図３に示した待機画面２５の例の場合、コピー機能に対応したアイコンは、コピーアイコン又は２ｉｎ１ＩＤコピーアイコンであり、Ｓ１９０では、これらのいずれかがタップされた場合、コピー開始指示がなされたと判断する。
【０１２７】
Ｓ１９０で、コピー開始指示がなされたと判断した場合は、Ｓ２００で表示部１３に擬似待機画面８０を表示させ、Ｓ２１０で、タップされたコピー機能に対応した処理を実行する。なお、Ｓ２００で表示させる擬似待機画面８０についても、ファクスアイコン８６については、ファクシミリ機能の受信モードがマニュアルモードの場合は表示させ、ファクス専用モードの場合は表示させない。
【０１２８】
Ｓ２００で表示部１３に擬似待機画面８０を表示させた後のＳ２１０の処理には、擬似待機画面８０に表示されている規定機能アイコンに対するタップの有無の判断、及びタップされた場合にそのタップされた規定機能アイコンに対応した規定機能を並行して実行すること、も含まれる。
【０１２９】
Ｓ１９０で、コピー開始指示がなされていない場合は、Ｓ２２０に進む。Ｓ２２０では、コピー機能以外の他の機能の開始指示がなされたか否か判断する。具体的に、待機画面２５に表示される各アイコンのうちコピー機能のアイコン以外のアイコンがタップされたか否か判断する。ここでいうコピー機能のアイコン以外のアイコンには、規定機能アイコンだけでなく、ショートカットアイコンや設定用アイコンなども含まれる。コピー機能のアイコン以外のアイコンがタップされた場合は、Ｓ２１０で、そのタップされたアイコンに対応した処理を実行する。いずれのアイコンもタップされない場合はＳ２３０に進む。
【０１３０】
Ｓ２３０では、待機画面２５に表示されている複数のタブのいずれかがタップされたか否か判断する。タブがタップされない場合は、Ｓ１３０に戻る。何れかのタブがタップされた場合は、Ｓ２４０で、タブ切替処理を実行する。具体的に、タップされたタブを選択状態にして、そのタブに対応付けられたタブ画面をタブ画面表示領域３６に表示させる。
【０１３１】
（１−８）実施形態の効果
以上説明した実施形態によれば、以下の（１ａ）〜（１ｆ）の効果を奏する。
（１ａ）本実施形態の機能実行装置１０では、同じ１つのタブ画面に対し、規定機能アイコン、ショートカットアイコン、及び未登録アイコンを同時に表示させることができる。そのため、ユーザは、同じ１つのタブ画面が表示された待機画面２５から、タブを切り替えることなく、規定機能アイコンをタップして機能を実行させたり、未登録アイコンをタップしてショートカットアイコン或いは他種のアイコンを新規生成したり、ショートカットアイコンをタップしてショートカット機能を実行させたりすることができる。
【０１３２】
よって、本実施形態の機能実行装置１０によれば、タブ形式の待機画面から実行対象の機能を選択する際の使い勝手を向上させることができる。
（１ｂ）本実施形態の機能実行装置１０では、管理者権限にて待機画面設定画面６０を表示させ、待機画面２５に表示させる各アイコンに対する各種の編集操作を行うことができる。そのため、ユーザの使用目的や好みなどに応じた待機画面を実現することができる。
【０１３３】
（１ｃ）待機画面設定画面６０において実行可能な、各アイコンに対する各種の編集操作として、本実施形態では、アイコンの右移動、左移動、入れ替え、１つのアイコンの消去、及び全てのアイコンの一括消去が可能である。
【０１３４】
そのため、例えば、不要なアイコンは消去させたり、逆に同じアイコンを異なる複数のタブ画面に配置させたり、アイコンの位置を変更したりすることができ、ユーザの使用目的や好みなどをより反映させた待機画面を実現することができる。
【０１３５】
（１ｄ）何れかの規定の機能が開始された場合、表示部１３には、擬似待機画面８０が表示される。本実施形態の擬似待機画面８０には、図４に例示したように、ファクシミリ機能、コピー機能及びスキャン機能の各規定機能の規定機能アイコン８６，８７，８８が表示される。ユーザは、擬似待機画面８０中のいずれかの規定機能アイコンをタップすることで、現在実行中の機能と並行して別の規定機能を実行させることができる。
【０１３６】
（１ｅ）全てのタブ画面を通して、ある特定の規定機能に関する機能実行用アイコンが消去されると、擬似待機画面８０においても、その規定機能に対応した規定機能アイコンは表示されなくなる。そのため、ある特定の規定機能を使用禁止にしたい場合に、その規定機能に関する機能実行用アイコンを全て消去することで、ユーザにより意図せずその規定機能が使用されてしまうことを効果的に抑制できる。
【０１３７】
（１ｆ）ファクシミリ機能に関しては、受信モードがマニュアルモードに設定されている場合は、たとえファクシミリ機能に関する機能実行用アイコンが全て消去されたとしても、擬似待機画面８０にはファクスアイコン８６が表示される。これにより、ユーザは、ファクシミリデータの送信は禁止されていても、マニュアルモードによるファクシミリデータの受信は正常に行うことができる。
【０１３８】
なお、本実施形態において、ファクスアイコンはファクシミリ機能アイコンに相当し、未登録アイコンはショートカット登録用アイコンの一例に相当する。また、管理者ボタン２８は管理者用アイコンに相当する。また、左移動ボタン６２、右移動ボタン６３及び入れ替えボタン６４はいずれも位置変更用ボタンの一例に相当し、消去ボタン６５及び一括消去ボタン６６はいずれも消去用ボタンの一例に相当する。また、通常ショートカット機能が登録されたショートカットアイコンに付加される通常ショートカットマーク９１は第１画像に相当し、ワンタッチショートカット機能が登録されたショートカットアイコンに付加されるワンタッチショートカットマーク９２は第２画像に相当する。
【０１３９】
また、図９のメイン制御処理において、Ｓ１２０の処理は待機画面表示処理に相当し、Ｓ１５０の処理は設定画面表示処理に相当し、Ｓ２１０の処理はアイコン操作対応処理に相当し、Ｓ２４０の処理はタブ画面切替処理に相当し、Ｓ２００、Ｓ２７０及びＳ２８０の処理は擬似待機表示処理に相当し、ＳＳ２１０及びＳ２９０の処理は並行実行処理の一例に相当する。
【０１４０】
［２．他の実施形態］
以上、本発明の実施形態について説明したが、本発明は上述の実施形態に限定されることなく、種々変形して実施することができる。
【０１４１】
（２−１）同じ１つのタブ画面に対し、どのような種類のアイコンを配置させるかについては、自在に決めることができる。例えば、同じ１つのタブ画面中に、規定機能アイコン、設定用アイコン、ショートカットアイコン、及び未登録アイコンの４種類のアイコンのうち何れか一種類のアイコンのみを配置させてもよいし、何れか二種類以上のアイコンを混在させてもよい。また例えば、出荷時等の初期の状態ではタブ画面中にアイコンが全く表示されていない待機画面を提供し、管理者やユーザ等が、その初期状態の待機画面に対して自在にアイコンを決めることができるようにしてもよい。
【０１４２】
（２−２）１つのタブ画面に配置されるアイコンの数が８個であることはあくまでも一例であり、１つのタブ画面に配置されるアイコンの数は適宜決めてもよい。また、タブ画面に対して複数のアイコンをどこにどのように配置するかについても適宜決めてよい。
【０１４３】
（２−３）待機画面設定画面６０において実行可能な各種編集操作として、上述した、左移動、右移動、入れ替え、消去、及び一括消去の５種類の編集操作は、あくまでも一例である。これら５種類の編集操作とは異なる内容の編集操作を実行可能であってもよい。
【０１４４】
（２−４）タブの総数Ｎｔを変更できてもよい。即ち、例えば出荷時にはタブの総数が１０個であった場合に、ユーザ操作によって、タブの総数を１１個以上に増やしたり、逆に９個以下に減らしたりすることができてもよい。
【０１４５】
（２−５）待機画面において、タブをどこに表示させるか、またアイコンをどこに表示させるか、については、適宜決めてよい。例えば、図２に示した待機画面２５において、タブ表示領域３０とタブ画面表示領域３６を上下逆にしてもよい。
【０１４６】
（２−６）待機画面が表示されているときに規定の複数の機能のうち何れかが開始された場合、その開始された機能の種類によっては擬似待機画面を表示させないようにしてもよい。例えば、スキャン機能が開始された場合は擬似待機画面を表示させないように構成してもよい。
【０１４７】
擬似待機画面に表示させるアイコンの種類や数は適宜決めてよい。例えば、擬似待機画面にショートカットアイコンが表示されてもよい。また、擬似待機画面に表示させるアイコンを管理者やユーザ等が追加、変更等できるようにしてもよい。
【０１４８】
（２−７）機能実行装置が実行可能な機能として、上述した、ファクシミリ機能、スキャン機能、コピー機能、印刷機能、ウェブサービス機能などの各規定の機能はあくまでも一例である。上述した機能とは異なる機能が実行可能に構成されていてもよい。また、実行可能な機能の種類、数などは適宜決めてよい。
【０１４９】
（２−８）上記実施形態における１つの構成要素が有する複数の機能を複数の構成要素によって実現したり、１つの構成要素が有する１つの機能を複数の構成要素によって実現したりしてもよい。複数の構成要素が有する複数の機能を１つの構成要素によって実現したり、複数の構成要素によって実現される１つの機能を１つの構成要素によって実現したりしてもよい。上記実施形態の構成の一部を省略してもよい。特許請求の範囲に記載した文言から特定される技術思想に含まれるあらゆる態様が本発明の実施形態である。
【符号の説明】
【０１５０】
１０…機能実行装置、１１…制御部、１２…記憶部、１３…表示部、１４…入力部、１４ａ…タッチパネル、１５…画像読取部、１６…印刷部、１７…メディアインタフェース部、１８…第１通信部、１９…第２通信部、２５…待機画面、２６…左ボタン、２７…右ボタン、２８…管理者ボタン、３０…タブ表示領域、３１〜３４…第１タブ〜第４タブ、３６…タブ画面表示領域、４０…第１タブ画面、４１〜４８、５１〜５８…第１アイコン〜第８アイコン、５０…第２タブ画面、６０…待機画面設定画面、６１…編集ボタン表示領域、６２…左移動ボタン、６３…右移動ボタン、６４…入れ替えボタン、６５…消去ボタン、６６…一括消去ボタン、８０…擬似待機画面、９１…ショートカットマーク、９２…ワンタッチショートカットマーク、１００…通信回線、１１０…外付電話機。
【図１】
2018128976.tif 000003
【図２】
2018128976.tif 000004
【図３】
2018128976.tif 000005
【図４】
2018128976.tif 000006
【図５】
2018128976.tif 000007
【図６】
2018128976.tif 000008
【図７】
2018128976.tif 000009
【図８】
2018128976.tif 000010
【図９】
2018128976.tif 000011